(57)【要約】【課題】スイング軌道の確認、矯正ができること、持ち運びに便利な携帯性を備えること、ウッド、アイアン、パターといったあらゆるゴルフクラブに使用できること、プレイヤーの身長やアドレス時の姿勢が異なっても使用できること、パッティングの強弱の感覚を習得できることを可能とする。【解決手段】平行に配置した２本の棒状ガイド１１，１１を棒状ガイド１１に直交する棒状接合部材１２により接合してなるスイングガイド部１と、ゴルフクラブＣのシャフトＳに着脱可能なクラブ装着部２と、スイングガイド部１とクラブ装着部２を連結し、棒状ガイド１１のうち一方から棒状接合部材１２の長手方向に延びる連結部材６を備える。【選択図】図１
2005185768.tif 000002
【特許請求の範囲】
【請求項１】
少なくとも１本の棒状ガイドからなるスイングガイド部と、
ゴルフクラブのシャフトに着脱可能なクラブ装着部と、および、
前記スイングガイド部と前記クラブ装着部を連結し、前記棒状ガイドに直交して延びる連結部材と、を備えることを特徴とする着脱式ゴルフスイング矯正用具。
【請求項２】
平行に配置した２本の棒状ガイドを該棒状ガイドに直交する棒状接合部材により接合してなるスイングガイド部と、
ゴルフクラブのシャフトに着脱可能なクラブ装着部と、および、
前記スイングガイド部と前記クラブ装着部を連結し、前記棒状ガイドのうち一方から前記棒状接合部材の長手方向に延びる連結部材と、を備えることを特徴とする着脱式ゴルフスイング矯正用具。
【請求項３】
前記２本の棒状ガイドの間隔を、ゴルフボールの直径と略等しく又はそれより若干広くしたことを特徴とする請求項２記載の着脱式ゴルフスイング矯正用具。
【請求項４】
前記連結部材は、その長手方向に伸縮自在であることを特徴とする請求項１乃至３のうちいずれか一つに記載の着脱式ゴルフスイング矯正用具。
【請求項５】
前記連結部材を可撓性部材で構成し、その長手方向に対して上下左右に折曲又は湾曲自在にしたことを特徴とする請求項１乃至４のうちいずれか一つに記載の着脱式ゴルフスイング矯正用具。
【請求項６】
前記棒状ガイドの長手方向に向かって目盛りを設けたことを特徴とする請求項１乃至５のうちいずれか一つに記載の着脱式ゴルフスイング矯正用具。
【発明の詳細な説明】
【技術分野】
【０００１】
本発明は、ゴルフスイングの軌道を確認、矯正する着脱式ゴルフスイング矯正用具に関するものである。
【背景技術】
【０００２】
ゴルフスイングの練習用具としては、長方形の敷材であって中央を長手方向に白線を引いた人工芝マットが存在し、該白線を飛球線方向に合わせて、該白線上に置いたボールを打つ練習を行うのが一般的である。
【０００３】
また、スイング軌道を確認し矯正するための練習用具としては、敷材の上面に棒状ガイドを平行に複数本配置し、かつ各棒状ガイドが平行を保ったまま回転しうるように平行リンクで各棒状ガイドを連結することにより、ストレートボール、フックボール、スライスボールのそれぞれに合わせてガイドを移動し、スイング軌道を矯正することのできる練習用具が知られている（例えば、特許文献１参照）。
【特許文献１】特開平９−２８５５８３号公報
【発明の開示】
【発明が解決しようとする課題】
【０００４】
従来の中央長手方向に白線を引いた人工芝マットは、飛球線方向に平行な白線が存在するだけで、スイング時の目安とはなっても、クラブヘッドがどのような軌道を通っているのかをプレイヤー自身が確認し矯正することはできない。
【０００５】
また、敷材の上面に複数の棒状ガイドを回転可能に配置した練習用具（特許文献１）によれば、ストレートボール、フックボール、スライスボールのそれぞれのスイング軌道について確認や矯正を行うことが可能であるが、敷材と一体となっているため携帯性に優れず自宅や練習場の打席にあらかじめ設置してある場合を除き、例えばゴルフコースに持参しティーグラウンド上でスイング軌道の確認や矯正を行うには適さない。また、ゴルフクラブのうち、ウッドやアイアンを対象としておりパター練習には適さない。
【０００６】
そこで本発明は、スイング軌道の確認、矯正ができること、持ち運びに便利な携帯性を備えること、ウッド、アイアン、パターといったあらゆるゴルフクラブに使用できること、プレイヤーの身長やアドレス時の姿勢が異なっても使用できること、パッティングの強弱の感覚を習得できることを可能とする着脱式のゴルフスイング矯正用具を提供することを目的とする。
【課題を解決するための手段】
【０００７】
上記の目的を達成するために請求項１に係る発明の着脱式ゴルフスイング矯正用具は、少なくとも１本の棒状ガイド（１１）からなるスイングガイド部（１）と、ゴルフクラブ（Ｃ）のシャフト（Ｓ）に着脱可能なクラブ装着部（２）と、および、前記スイングガイド部（１）と前記クラブ装着部（２）を連結し、前記棒状ガイド（１１）に直交して延びる連結部材（６）と、を備えることを特徴とする。
【０００８】
また、請求項２に係る発明は、平行に配置した２本の棒状ガイド（１１，１１）を該棒状ガイド（１１）に直交する棒状接合部材（１２）により接合してなるスイングガイド部（１）と、ゴルフクラブ（Ｃ）のシャフト（Ｓ）に着脱可能なクラブ装着部（２）と、および、前記スイングガイド部（１）と前記クラブ装着部（２）を連結し、前記棒状ガイド（１１）のうち一方から前記棒状接合部材（１２）の長手方向に延びる連結部材（６）と、を備えることを特徴とする。
【０００９】
さらに、請求項３に係る発明は、請求項２に記載の発明において、前記２本の棒状ガイド（１１，１１）の間隔（Ｌ）を、ゴルフボール（Ｂ）の直径と略等しく又はそれより若干広くしたことを特徴とする。
【００１０】
また、請求項４に係る発明は、請求項１乃至３のうちいずれか一つに記載の発明において、前記連結部材（６）は、その長手方向に伸縮自在であることを特徴とする。
【００１１】
また、請求項５に係る発明は、請求項１乃至４のうちいずれか一つに記載の発明において、前記連結部材（６）を可撓性部材で構成し、その長手方向に対して上下左右に折曲又は湾曲自在にしたことを特徴とする。
【００１２】
また、請求項６に係る発明は、請求項１乃至５のうちいずれか一つに記載の発明において、前記棒状ガイド（１１）の長手方向に向かって目盛り（８）を設けたことを特徴とする。
【００１３】
なお、括弧内の記号は、発明を実施するための最良の形態および図面に記載された対応要素または対応事項を示す。
【発明の効果】
【００１４】
請求項１および請求項２に記載の発明によれば、プレイヤーは、棒状ガイドを、クラブフェース面に垂直になるようにシャフトに装着し、ボールが棒状ガイドの中央にくるようにアドレスしたのちバックスイングを開始し、ボールを棒状ガイドに沿わせて、特に請求項２に記載の発明の場合には、ボールを２本の棒状ガイドの間からはみ出すことのないように、クラブヘッドを引くことによって、スイング軌道を確認、矯正することができる。
この結果、飛球線に対してストレートなスイング軌道を実現しクラブフェースにボールをスクエアに当てることができるため、ストレートボールを打つことができる。また、パターにおいても、真っ直ぐなボールを打つことができる。
【００１５】
また、請求項１および請求項２に記載の発明をゴルフクラブに装着するときに、前記棒状ガイドの先端が飛球線方向に対して若干右側を向くように装着すれば、右利きの人の場合、インサイドアウトのスイング軌道に矯正することができ、フックボールを打つことができる。逆に前記棒状ガイドの先端が飛球線方向に対して若干左側を向くように装着すれば、アウトサイドインのスイング軌道に矯正することができ、スライスボールを打つことができる。
【００１６】
更に、ウッドやアイアンなどのフルスイングを行う場合に、トップスイング時のクラブフェースの向きに応じて棒状ガイドの示す向きが変わってくるので、棒状ガイドを確認することで容易にトップスイング時のクラブフェースの向きを確認することができる。この結果、正しいスイング軌道を実現することができる。
【００１７】
また、本発明は、携帯性に優れているため、ゴルフ練習場にも気軽に持参することができる。また、ゴルフコースでのラウンド前にもティーグラウンド上でのスイングチェックや練習グリーン上でのパター練習に用いることができる。
【００１８】
さらに、請求項３に記載の発明によれば、請求項１および請求項２に記載の発明の作用効果に加えて、平行に接続された２本の棒状ガイドの間隔を、ゴルフボールの直径と略等しいか、又はゴルフボールの直径より若干広くしたので、その間隔を通してゴルフボールのほぼ全体を目視しながらスイングを行うことができる。
したがって、スイングの矯正をより効果的に行うことができる。
【００１９】
また、請求項４に記載の発明によれば、請求項１乃至３に記載の発明の作用効果に加えて、連結部材をその長手方向に伸縮自在にすることにより、スイングガイド部が適切な位置にくるように調節することができる。すなわち、使用クラブによりクラブヘッドのライ角度が変動しプレイヤーから見て棒状ガイドとクラブ中心面がズレる場合に、連結部材を伸縮させることで容易に調節することが可能である。
従って、本発明はウッド、アイアン、パターといったあらゆるゴルフクラブに使用することができるものである。またこのようなズレはプレイヤーの身長の違い、アドレス時の姿勢の違いによっても生じうるが、同様に調節することが可能である。
【００２０】
また、請求項５に記載の発明によれば、請求項１乃至４に記載の発明の作用効果に加えて、連結部材を可撓性部材で構成し、その長手方向に対して上下左右に折曲又は湾曲自在にしたので、ゴルフクラブに対して、スイングガイド部の位置を上下左右に微調整して適切な位置にすることができる。すなわち、スイングガイド部の位置によってプレイヤーから見えにくい場合が生じても、連結部材を折曲又は湾曲することでスイングガイド部の位置を見えやすいように容易に調節することができる。
従って、ウッド、アイアン、パターといったあらゆるゴルフクラブに使用でき、プレイヤーの身長やアドレス時の姿勢が異なっても使用できる。
【００２１】
また、請求項６に記載の発明によれば、請求項１乃至５に記載の発明の作用効果に加えて、棒状ガイドの長手方向に向かって目盛りを設けることにより、パッティングの強弱の感覚を習得できる。すなわち、パター練習時にテイクバックの幅を目で確認し、テイクバックの幅とボールの転がる距離との関係を体得し距離感を養うことができる。通常パターのテイクバックの幅については、プレイヤーの右足前までテイクバックするなどを目安とする場合が多いが、そうすると視線が一瞬ボールから離れて右側を向くこととなり、ミスヒットを生じ易い。これに対して本発明によれば、視線をボールの位置に固定したままテイクバックの幅を確認することができるため、ミスヒットを生じることなく練習をすることができる。
【発明を実施するための最良の形態】
【００２２】
図１乃至図４を参照して、本発明の実施形態に係る着脱式ゴルフスイング矯正用具について説明する。図１は、本発明の実施形態に係る着脱式ゴルフスイング矯正用具の構成を示し、図２及び図３は、その着脱式ゴルフスイング矯正用具をドライバー（ゴルフクラブＣ）に取付けた使用状態を示し、図４は、その着脱式ゴルフスイング矯正用具をパター（ゴルフクラブＣ）に取付けた使用状態を示す。
【００２３】
本発明の実施形態に係る着脱式ゴルフスイング矯正用具は、ゴルフスイングを矯正するためにゴルフクラブＣに装着して使用するものであり、図１に示すように、主に、スイングガイド部１と、クラブ装着部２と、連結部材６とを備えている。
【００２４】
スイングガイド部１は、２本の平行な棒状ガイド１１，１１と、棒状ガイド１１に直交し、これら棒状ガイド１１，１１を略Ｈ型に接合する棒状接合部材１２からなる。２本の棒状ガイド１１，１１の間隔Ｌは、ゴルフボールＢの直径（４２．６７mm）と略等しいか、あるいはそれより若干広くなるように設定している。また、２本の棒状ガイド１１，１１の長手方向に向かって目盛り８が設けられている。
【００２５】
クラブ装着部２は、ゴルフクラブＣのシャフトＳに着脱可能であり、シャフトＳを包み込む略馬蹄形状の締結部３と、該締結部３の半割状の先端部に設けた孔Ｈ，Ｈに挿通された頭部を有する雄ねじ４と、その雄ねじ４に螺合される蝶ねじ５とからなる。締結部３の内径はシャフトＳの太さより若干大きくしてあり、シャフトＳに装着後、蝶ねじ５を回転させ、締結部３の内径を狭めることによりあらゆるゴルフクラブＣに容易に着脱することができる。なお、締結部３の内側にはシャフトＳを傷つけないように軟質部材を設けることが望ましい。
【００２６】
連結部材６は、スイングガイド部１とクラブ装着部２を連結するものであり、棒状ガイド１１のうち一方から棒状接合部材１２の長手方向に延びている。連結部材６は、本実施形態では、ねじ棒からなるものであり、その一端は、締結部３に一体成形されており、他端は、棒状接合部材１２の突端７に形成された雌ねじに螺合している。クラブ装着部２を回転させることで雄ねじを有するねじ棒が突端７に出入するようになっている。
なお、連結部材６は、スイングガイド部１とクラブ装着部２を直線的に連結するものであればよいので、別体のものでも、締結部３側あるいは棒状接合部材１２の突端７側に一体成形されたものであってもよい。また、構造的にもねじに限定されるものではない。
【００２７】
なお、スイングガイド部１の棒状ガイド１１の長さは、特に限定されないが、１００〜５００ｍｍ程度に設定することが使用勝手の点から望ましい。また、その断面形状も円形，四角形，三角形など特に限定されない。棒状ガイド１１の直径は、１〜２０ｍｍ程度が適当である。
また、棒状ガイド１１の材質は、特に限定されないが、携帯性を向上させ、またゴルフクラブＣに装着したままスイングを行うものでありスイングへの影響を最小限に抑えるために軽量であることが要求されることから、ＡＢＳ樹脂やＰＰ（ポリプロピレン）樹脂で成形することが望ましい。
さらに、棒状ガイド１１は、スイングの際の残像が鮮明になるように白や鮮やかな蛍光色にするとよい。
【００２８】
本発明の実施形態に係る着脱式ゴルフスイング矯正用具は、次のように使用する。
まず、図２に示すように、クラブ装着部２の締結部３内側にシャフトＳを通し、蝶ねじ５を締め付けることによってスイングガイド部１をゴルフクラブＣに取付ける。
このとき、棒状ガイド１１がクラブフェースＦに対して垂直になるように配置し、その状態で蝶ねじ５を締付けて固定する。なお、本矯正用具のシャフトＳへの装着位置（クラブヘッド側かグリップ側か）に制限はなく、プレイヤーの感覚により調節すればよいが、一般的にはクラブヘッドからあまり離さない方がスイング軌道の確認とその修正を行いやすい。
【００２９】
その後、プレイヤーから見て、ゴルフボールＢがスイングガイド部１を構成する二本の棒状ガイド１１，１１の隙間空間Ｇに位置するようにアドレスし（図２）、その状態で図３に示すように、スイングを行う。このとき、ゴルフボールＢが常に隙間空間Ｇに納まるようにスイングし、それを残像によって確認することにより、それまでのアウトサイドインやインサイドアウトといった癖のあるスイングを好ましいスイングに矯正することができ、ゴルフボールＢをクラブフェースＦに垂直にヒットさせることができる。従って、ストレートボールを打つことができ、フック、スライス、引掛け、あるいはコックを防ぐことができる。
また、トップスイング時（図３）においても、棒状ガイド１１の向きを確認することで、クラブフェースＦの向きを容易に確認することができる。
さらに、棒状ガイド１１の先端を飛球線方向に対して若干右側又は左側を向くように装着することも容易であり、インサイドアウト又はアウトサイドインのスイング軌道に矯正することもできる。
【００３０】
ここでは、本矯正用具をドライバーに装着した場合について説明したが、アイアンについても同様な効果が得られることはいうまでもない。
すなわち、本矯正用具をパター以外のゴルフクラブＣに装着した場合は、バックスイングでは棒状ガイド１１を腰の辺りまで身体と平行に移動させ、トップでは身体と直角になるようスイング軌道を作ることにより、正確なスイングの矯正が簡単にできる。
【００３１】
次に、図４に示すように、本矯正用具をパターに装着して使用する場合には、テイクバックの幅を、棒状ガイド１１に設けられた目盛りに合わせて確認することによって、パッティングの強弱の感覚を習得することができる。この場合、パターヘッドを視線で追うことなく、視線をボールの位置に固定したままテイクバックの幅を確認できるため、ミスヒットを生じることなく練習をすることができる。これにより、パッティングの技術を高めることができる。
【００３２】
また、本矯正用具は、携帯性に優れているため、ゴルフ練習場にも気軽に持参することができる。また、ゴルフコースでのラウンド前にもティーグラウンド上でのスイングチェックや練習グリーン上でのパター練習に用いることができる。また、強制的に矯正する器具と異なり、プレイヤー自身が自ら矯正するので早く習得することができる。さらに、プレイヤーのゴルフクラブＣを使用しながら矯正するので、ゴルフを普段通り楽しむことができる。
【００３３】
なお、本発明の実施形態では、スイングガイド部１とクラブ装着部２を連結部材６で連結しているが、図５に示すように、その連結部材６をその長手方向に伸縮自在にするようにしてもよい。連結部材６を伸縮自在にする構成は種々考えられるが、例えば、ねじ棒を回転させることにより突端７からの突出量を変化させ、その位置でねじ棒の回転を強く固定することにより実現しうる。
これによれば、スイングガイド部１が適切な位置にくるように調節することができる。すなわち、使用クラブＣによりクラブヘッドのライ角度が変動しプレイヤーから見て棒状ガイド１１とクラブ中心面がズレる場合に、連結部材６を伸縮させることで容易に調節することが可能である。
従って、本矯正用具は、ウッド、アイアン、パターといったあらゆるゴルフクラブＣに使用することができるものである。またこのようなズレはプレイヤーの身長の違い、アドレス時の姿勢の違いによっても生じうるが、同様に調節することが可能である。また、前記違いがあっても一つの本矯正用具で対応することができる。
【００３４】
さらに、図６や図７に示すように、連結部材６を蛇腹等の可撓性部材で構成し、その長手方向に対して上下左右に折曲又は湾曲自在にすることもできる。図６及び図７では、連結部材６を湾曲させることによりスイングガイド部１を、地面に接するゴルフクラブＣの下端に対して平行にした例を示している。
これによれば、クラブ装着部２に対してスイングガイド部１を上下左右に折曲又は湾曲自在に連結することができるので、アドレス時におけるプレイヤーとボールとを結んだ目線がクラブシャフトと平行とならない（スイングガイド部１が目線と直角とならない）ことから生ずるスイングガイド部１の見えにくさを、スイングガイド部１が目線と直角となるよう連結部材６を折り曲げることにより解消することができる。
従って、ウッド、アイアン、パターといったあらゆるゴルフクラブに使用でき、プレイヤーの身長やアドレス時の姿勢が異なっても使用できる。
【００３５】
本発明の実施形態に係る着脱式ゴルフスイング矯正用具の使用結果を図１０に示す。ゴルフ暦数ヶ月〜１０年のアマチュアプレイヤー１０名を対象に、本矯正用具を使用する前と使用したときのパッティングの比較をした。カップまでの距離は２ｍで芝はベント、少し上り、左カップいっぱいのスライスラインである。データは１０回パッティングして何回カップインしたかを表示したものである。データに示したとおり、１０人中１人（Ｊ氏）を除いて、パッティングの正確性が向上した結果となった。特にハンデの多い人ほどその効果が顕著であり、本矯正用具が方向感や距離感の確認等、ゴルフスイングの矯正にきわめて効果的であることが確認できた。
【００３６】
なお、本発明の実施形態に係る着脱式ゴルフスイング矯正用具では、スイングガイド部１は、平行な２本の棒状ガイド１１，１１を備えるが、１本の棒状ガイド１１で構成することもできる（図示省略）。この場合、棒状ガイド１１をゴルフボールＢの中心上に位置させてスイングしても良いし、また、端部上に位置させてスイングすることもできる。この場合、スイングガイド部１とクラブ装着部２を連結する連結部材６は、１本の棒状ガイド１１に直交して延びるように設けられる。
【００３７】
さらに、図８や図９で示すように、スイングガイド部１の２本の棒状ガイド１１，１１を複数の棒状接合部材１２，１２により接合することができる。その複数の棒状接合部材１２，１２の接合位置は特に限定されるものではなく、内側（図８）でも端部（図９）でもよい。
【図面の簡単な説明】
【００３８】
【図１】本発明の実施形態に係る着脱式ゴルフスイング矯正用具を示す平面図である。
【図２】本発明の実施形態に係る着脱式ゴルフスイング矯正用具をドライバーに装着し、プレイヤーがアドレスした状態を示す平面図である。
【図３】本発明の実施形態に係る着脱式ゴルフスイング矯正用具をドライバーに装着し、プレイヤーがトップスイングまで振り上げた状態を飛球線後方から見た図である。
【図４】本発明の実施形態に係る着脱式ゴルフスイング矯正用具をパターに装着し、プレイヤーがアドレスした状態を示す平面図である。
【図５】ドライバーに装着した状態において、連結部材を伸縮自在にした状態を示す図である。
【図６】ドライバーに装着した状態において、連結部材を湾曲自在にした状態を示す図である。
【図７】パターに装着した状態において、連結部材を湾曲自在にした状態を示す図である。
【図８】別の実施の形態にかかる着脱式ゴルフスイング矯正用具を示す平面図である。
【図９】更に別の実施の形態にかかる着脱式ゴルフスイング矯正用具を示す平面図である。
【図１０】本発明の実施形態に係る着脱式ゴルフスイング矯正用具を使用した結果を示す図である。
【符号の説明】
【００３９】
１      スイングガイド部
２      クラブ装着部
３      締結部
４      雄ねじ
５      蝶ねじ
６      連結部材
７      突端
８      目盛り
１１      棒状ガイド
１２      棒状接合部材
Ｂ      ゴルフボール
Ｃ      ゴルフクラブ
Ｆ      クラブフェース
Ｇ      隙間空間
Ｈ      孔
Ｌ      間隔
Ｓ      シャフト
【図１】
2005185768.tif 000003
【図２】
2005185768.tif 000004
【図３】
2005185768.tif 000005
【図４】
2005185768.tif 000006
【図５】
2005185768.tif 000007
【図６】
2005185768.tif 000008
【図７】
2005185768.tif 000009
【図８】
2005185768.tif 000010
【図９】
2005185768.tif 000011
【図１０】
2005185768.tif 000012